(57)【要約】【課題】指紋を読み取った結果、指紋の持ち主が悪質なユーザーであった場合に、警察官や警備員が駆けつけるまでの時間を確保する。【解決手段】印刷処理を伴う複写機、ファクシミリ機および複合機であって、複写機、ファクシミリ機および複合機の動作を制御する制御回路（４１、４３）と、指紋、手の静脈パターン、または瞳の虹彩による生体認証を行う生体認証手段（４５、４３、５１）と、を具備し、制御回路（４１、４３）は、生体認証手段（４５、４３、５１）の認証結果に応じて、印刷処理を一時停止するか、または印刷処理を開始することを特徴とする。【選択図】図１
2008136070.tif 000002
【特許請求の範囲】
【請求項１】
印刷処理を伴う複写機、ファクシミリ機および複合機であって、
該複写機、ファクシミリ機および複合機の動作を制御する制御回路と、
指紋、手の静脈パターン、または瞳の虹彩による生体認証を行う生体認証手段と、を具備し、
前記制御回路は、前記生体認証手段の認証結果に応じて、前記印刷処理を一時停止することを特徴とする複写機、ファクシミリ機および複合機。
【請求項２】
印刷処理を伴う複写機、ファクシミリ機および複合機であって、
該複写機、ファクシミリ機および複合機の動作を制御する制御回路と、
指紋、手の静脈パターン、または瞳の虹彩による生体認証を行う生体認証手段と、を具備し、
前記制御回路は、前記生体認証手段の認証結果に応じて、前記印刷処理を開始することを特徴とする複写機、ファクシミリ機および複合機。
【発明の詳細な説明】
【技術分野】
【０００１】
本発明は、コンビニ店等に置かれ、不特定多数の人が共用する複写機、ファクシミリ機および複合機に関するものである。
【背景技術】
【０００２】
コピーボタンに指紋の読み取りユニットを設け、コピーボタンの押下時に操作者の指紋を読み取り、その指紋を警察の指紋データベースに登録されている指紋と比較し、一致した指紋がある場合に、その指紋の持ち主の居場所（複写機の設置場所）を特定させる技術が開示されている。
【特許文献１】特開平７−１２９０４９号公報
【発明の開示】
【発明が解決しようとする課題】
【０００３】
上記の先行技術により、指紋情報を読み取った場所（複写機の設置場所）を確認することで、指紋の持ち主がその場所にいることを確認することができるが、作業が終了した時点で、指紋の持ち主がその場所を立ち去ってしまう点で改善余地があった。
【０００４】
本発明は、上記の問題点に鑑みてなされたもので、指紋を読み取った結果、指紋の持ち主が悪質なユーザーであった場合に、警察官や警備員が駆けつけるまでの時間を確保することを主要な目的とする。
【課題を解決するための手段】
【０００５】
この目的を達成するために、請求項１の発明は、印刷処理を伴う複写機、ファクシミリ機および複合機であって、複写機、ファクシミリ機および複合機の動作を制御する制御回路（４１、４３）と、指紋、手の静脈パターン、または瞳の虹彩による生体認証を行う生体認証手段（４５、４３、５１）と、を具備し、制御回路（４１、４３）は、生体認証手段（４５、４３、５１）の認証結果に応じて、印刷処理を一時停止することを特徴とする。
請求項２の発明は、印刷処理を伴う複写機、ファクシミリ機および複合機であって、複写機、ファクシミリ機および複合機の動作を制御する制御回路（４１、４３）と、指紋、手の静脈パターン、または瞳の虹彩による生体認証を行う生体認証手段（４５、４３、５１）と、を具備し、制御回路（４１、４３）は、生体認証手段（４５、４３、５１）の認証結果に応じて、印刷処理を開始することを特徴とする。
【発明の効果】
【０００６】
以上のように、本発明の複写機、ファクシミリ機および複合機によれば、指紋を読み取った結果、指紋の持ち主が悪質なユーザーであった場合に、複写機等の出力速度を落とす（印刷処理の一時停止する、認証後に印刷処理を開始する）ようにしたので、警察官や警備員が駆けつけるまでの時間を稼ぐことができる。また、複写機等がコンピニ店に置かれていた場合、指紋の持ち主が悪質ユーザーであることを店舗従業員に知らせ、その人物の特徴を控える時間を稼ぐことにも利用できる。
【発明を実施するための最良の形態】
【０００７】
以下、本発明の実施の形態を図面に基づいて説明する。
【実施例１】
【０００８】
図１は、本発明による複写機、ファクシミリ機および複合機の一実施形態を示すブロック結線図である。図２は、本発明による複写機、ファクシミリ機および複合機の動作を説明するフローチャートである。
【０００９】
図１において、複写機はプリンタ部制御用ＣＰＵ４１と画像処理ユニットＣＰＵ４３によって制御される。この複写機の操作者がコピーボタン等を操作した時に、指紋読取ユニット４５で操作者の指紋を読み取り（ステップＳ１）、ＭＦＰ（Multi Function Peripheral）を起動する（ステップＳ２）。読み取った画像データは、画像処理ユニットＣＰＵ４３で指紋データに変換処理（ステップＳ３）した後に、２値化処理部４８で２値化処理される。２値化処理された指紋の画像データは、モデム４９およびＮＣＵ（Network Control Unit）５０により外部データベース５１に送信される（ステップＳ４）。
【００１０】
外部データベース５１では、受信した指紋データをデータベースにあるデータと照合する（ステップＳ５）。一致するデータあり（ステップＳ６）と判断したときは、ステップＳ７に移行して「一致データあり」という情報をもつパケットの送信を行う。一致するデータ無し（ステップＳ６）と判断したときは、ステップＳ１３に移行して「一致データ無し」という情報をもつパケットの送信を行う。
【００１１】
ＮＣＵ５０がパケットチェックを行い（ステップＳ８）、「一致データあり」という情報をもつパケットを受信したときは、ＮＣＵ５０がプリンタ部制御用ＣＰＵ４１へ割り込み信号を送信する（ステップＳ９）。プリンタ部制御用ＣＰＵ４１は印刷処理の一時停止を行い（ステップＳ１０）、プリンタ部制御用ＣＰＵ４１にてあらかじめ設定しておいた値と一致するまでカウントアップ処理（ステップＳ１１）を行ってから、印刷処理を再開する（ステップＳ１２）。なお、ステップＳ１１における、あらかじめ設定しておいた値を増減することにより、待ち時間を所定の値に設定することができる。
【００１２】
ＮＣＵ５０がパケットチェックを行い（ステップＳ１４）、「一致データ無し」という情報をもつパケットを受信したときは、そのまま通常の印刷処理を行う（ステップＳ１５）。
【００１３】
以上、本発明を実施の形態により説明したが、本発明の技術的思想によれば、種々の変形が可能である。例えば、上述した実施例においては、指紋読取ユニット４５を用いた場合を例にしたが、他の生体認証、例えば手の静脈パターンや瞳の虹彩による生体認証を行うようにしても良い。
【００１４】
また、上述した実施例においては、印刷処理の途中でデータ照合を行い、ステップＳ１２で印刷処理を再開するものとして説明したが、データ照合を終了した後でなければ印刷処理を開始しないようにしても良い。
【産業上の利用可能性】
【００１５】
本発明は、コンビニ店等に置かれ、不特定多数の人が共用する複写機、ファクシミリ機および複合機で利用可能な技術を提示している。
【図面の簡単な説明】
【００１６】
【図１】複写機、ファクシミリ機および複合機を示すブロック結線図である。（実施例１）
【図２】複写機、ファクシミリ機および複合機の動作を説明するフローチャートである。（実施例１）
【符号の説明】
【００１７】
１    画像形成装置
【図１】
2008136070.tif 000003
【図２】
2008136070.tif 000004